(57)【要約】  スキャナシステム１００の携帯端末１０は、載置検出部９１により当該携帯端末１０がスキャナ装置１の載置部６へ載置されていることが検出されたとき、スキャナ装置１からの接続要求に応じてスキャナ装置１との通信を確立するための専用アプリケーション９３を起動する。スキャナシステム１００のスキャナ装置１は、載置検出部７１により携帯端末１０の載置部６への載置が検出されたとき、携帯端末１０の識別情報を取得する識別情報取得部７２と、この識別情報を持つ携帯端末１０に対して接続要求を送信する通信制御部７３とを有する。スキャナ装置１からの接続要求に応じて、携帯端末１０の専用アプリケーション９３が携帯端末１０とスキャナ装置１との通信を確立する。この構成により、ユーザの操作なしで携帯端末１０とスキャナ装置１との通信を確立することができる。
2012172661.tif 000002
【特許請求の範囲】
【請求項１】
携帯端末とスキャナ装置とを備えるスキャナシステムであって、
前記携帯端末が前記スキャナ装置の載置部に載置されたとき、前記携帯端末と前記スキャナ装置とは電気的に接続されるよう構成され、
前記携帯端末は、
当該携帯端末が前記スキャナ装置の前記載置部に載置されたことを検出する端末側載置検出部と、
前記端末側載置検出部により当該携帯端末の前記載置部への載置が検出されたとき、前記スキャナ装置からの接続要求に応じて前記スキャナ装置との通信を確立するためのアプリケーションを起動する起動部と、を有し、
前記スキャナ装置は、
前記携帯端末が当該スキャナ装置の前記載置部に載置されたことを検出する装置側載置検出部と、
前記装置側載置検出部により前記携帯端末の前記載置部への載置が検出されたとき、前記携帯端末の識別情報を取得する識別情報取得部と、
前記識別情報取得部により取得された前記識別情報を持つ前記携帯端末に対して前記接続要求を送信する接続要求部と、を有し、
前記スキャナ装置からの前記接続要求に応じて、前記携帯端末の前記アプリケーションが前記携帯端末と前記スキャナ装置との通信を確立する、
ことを特徴とするスキャナシステム。
【請求項２】
前記スキャナ装置が、
画像読取処理を行い生成した画像データを記憶する画像データ記憶部と、
前記接続要求により通信が確立された前記携帯端末へ前記画像データ記憶部に記憶されている画像データを送信する送信部と、を有する
ことを特徴とする、請求項１に記載のスキャナシステム。
【請求項３】
画像データ記憶部は、前記通信が確立された前記携帯端末から削除指令を受けた場合に、当該画像データ記憶部に記憶されている前記画像データを削除することを特徴とする、請求項２に記載のスキャナシステム。
【発明の詳細な説明】
【技術分野】
【０００１】
本発明は、スキャナシステムに関する。
【背景技術】
【０００２】
近年、回覧板、チラシ、レシート、写真などの紙媒体を、スキャナ装置を利用して電子化することが広まってきている。また、ＰＤＡ（Personal  Digital  Assistant）やスマートフォンなど多機能な携帯端末が普及してきており、上記の電子化されたデータをこれらの携帯端末で利用する需要が高まってきている。【０００３】
スキャナ装置から携帯端末への電子化データの取り込みは、パーソナルコンピュータなどを仲介して行うのが一般的であるが、携帯端末のユーザの利便性を高めるべく、例えば特許文献１には、スキャナ装置と携帯端末との間で直接電子化データの送受信を行う技術が開示されている。
【先行技術文献】
【特許文献】
【０００４】
【特許文献１】特開２００２−８４３４８号公報
【発明の概要】
【発明が解決しようとする課題】
【０００５】
ここで、特許文献１などに開示される、従来の携帯端末とスキャナ装置との間のデータ通信技術では、まずユーザがメニュー選択などの各種操作を行った後に、携帯端末とスキャナ装置とが電気的に接続され、両者の通信が確立されるのが一般的である。このときユーザに求められる操作は、装置ごとに独自のユーザインタフェースを利用して実行されることが多く、ユーザは上記技術を利用するためにまずはユーザインタフェースに慣れる必要があり、このことが上記技術を利用する上でユーザの負担となる虞があった。【０００６】
本発明は、上記の事情に鑑みてなされたものであって、ユーザの操作なしで携帯端末とスキャナ装置との通信を確立することができるスキャナシステムを提供することを目的とする。
【課題を解決するための手段】
【０００７】
上記課題を解決するために、本発明に係るスキャナシステムは、携帯端末とスキャナ装置とを備えるスキャナシステムであって、前記携帯端末が前記スキャナ装置の載置部に載置されたとき、前記携帯端末と前記スキャナ装置とは電気的に接続されるよう構成され、前記携帯端末は、当該携帯端末が前記スキャナ装置の前記載置部に載置されたことを検出する端末側載置検出部と、前記端末側載置検出部により当該携帯端末の前記載置部への載置が検出されたとき、前記スキャナ装置からの接続要求に応じて前記スキャナ装置との通信を確立するためのアプリケーションを起動する起動部と、を有し、前記スキャナ装置は、前記携帯端末が当該スキャナ装置の前記載置部に載置されたことを検出する装置側載置検出部と、前記装置側載置検出部により前記携帯端末の前記載置部への載置が検出されたとき、前記携帯端末の識別情報を取得する識別情報取得部と、前記識別情報取得部により取得された前記識別情報を持つ前記携帯端末に対して前記接続要求を送信する接続要求部と、を有し、前記スキャナ装置からの前記接続要求に応じて、前記携帯端末の前記アプリケーションが前記携帯端末と前記スキャナ装置との通信を確立する、ことを特徴とする。【０００８】
また、上記のスキャナ装置において、前記スキャナ装置が、画像読取処理を行い生成した画像データを記憶する画像データ記憶部と、前記接続要求により通信が確立された前記携帯端末へ前記画像データ記憶部に記憶されている画像データを送信する送信部と、を有することが好ましい。【０００９】
また、上記のスキャナ装置において、前記画像データ記憶部は、前記通信が確立された前記携帯端末から削除指令を受けた場合に、当該画像データ記憶部に記憶されている前記画像データを削除することが好ましい。
【発明の効果】
【００１０】
本発明に係るスキャナシステムは、携帯端末がスキャナ装置の載置部に載置されるのに応じて、携帯端末では、スキャナ装置からの接続要求に応じてスキャナ装置との通信を確立するためのアプリケーションが起動され、スキャナ装置からの接続要求に応じて通信を確立できるよう準備が整えられる。一方、スキャナ装置では、載置部に載置されている携帯端末の識別情報が取得され、この識別情報を持つ携帯端末へ接続要求が送信される。そして、スキャナ装置からの接続要求を受信した携帯端末のアプリケーションにより、この携帯端末とスキャナ装置との間の通信が確立される。したがって、携帯端末をスキャナ装置の載置部に載置するだけで、載置部に載置されている携帯端末を特定し、この携帯端末とスキャナ装置との間で通信を確立させる処理を自動的に実行させることが可能となる。このように、本発明に係るスキャナシステムは、ユーザの操作なしで携帯端末とスキャナ装置との通信を確立することができるという効果を奏する。
【図面の簡単な説明】
【００１１】
【図１】図１は、本発明の一実施形態に係るスキャナシステムの正面側斜視図である。
【図２】図２は、図１に示すスキャナシステムの機能ブロック図である。
【図３】図３は、携帯端末がスキャナ装置の載置部に載置されたときの通信確立処理及び画像データ送信処理を示すシーケンス図である。
【図４】図４は、携帯端末がスキャナ装置の載置部に載置しない状態で実施されるスキャナ装置の画像読取処理を示すフローチャートである。
【図５】図５は、スキャナ装置が携帯端末以外の送信先へ画像データを送信する処理を示すフローチャートである。
【発明を実施するための形態】
【００１２】
以下に、本発明に係るスキャナシステムの実施形態を図面に基づいて説明する。なお、以下の図面において、同一または相当する部分には同一の参照番号を付し、その説明は繰り返さない。また、以下の説明において、上下方向及び左右方向とは、特に記載のない限り図１の上下方向及び左右方向を示すものとする。
【００１３】
まず、図１，２を参照して、本発明の一実施形態に係るスキャナシステム１００の構成について説明する。図１は、本発明の一実施形態に係るスキャナシステム１００の正面側斜視図であり、図２は、図１に示すスキャナシステム１００の機能ブロック図である。
【００１４】
図１，２に示すように、本実施形態のスキャナシステム１００は、スキャナ装置１と、携帯端末１０を含んで構成され、携帯端末１０をスキャナ装置１の載置部６上に一体的に装着することにより、携帯端末１０とスキャナ装置１とを電気的に接続することができるよう構成されるものである。
【００１５】
携帯端末１０の構成について説明する。携帯端末１０は、ＰＤＡ（Personal  Digital  Assistant）やスマートフォンなどの多機能型情報端末装置であり、長方形状の前面を備え、この前面上の大半にタッチパネル式の表示画面１０ａを備えるタイプの端末装置である。この携帯端末１０は、単独使用時には縦長の状態で使用されるが、スキャナ装置１への装着時には横長に倒した状態で装着されるよう構成されている。また、この携帯端末１０は、縦長状態で使用する際の下方の端面１０ｂ（長方形状の一方の短辺側の端面）の中央に、充電及び／又は通信用のコネクタ１０ｃが設けられている。
【００１６】
携帯端末１０は、図２に示すように、スキャナ装置１との接続処理などを制御する制御部９を備える。この制御部９は、載置検出部（端末側載置検出部）９１、アプリケーション制御部（起動部）９２、専用アプリケーション９３を備えて構成されている。
【００１７】
載置検出部９１は、携帯端末１０がスキャナ装置１の載置部６に載置されたことを携帯端末１０側から検出する。より詳細には、載置検出部９１は、例えば以下に例示する手法によって、この携帯端末１０のスキャナ装置１の載置部６への載置を検出することができる。
（１）携帯端末１０に設置された加速度センサを用いて、載置部６に携帯端末１０が一定の向きと角度に置かれたことを検出する。
（２）スキャナ装置１と携帯端末１０のそれぞれに、載置部６に置かれた際に指定の箇所のマグネットスイッチがＯＮとなるように設置され、マグネットスイッチがＯＮになることで検出する。
（３）無線通信（赤外線通信）機能が、載置部６に置かれる向きで（携帯端末１０が載置部６に載置されたときに対向する位置で）携帯端末１０及びスキャナ装置１の双方に設置されており、携帯端末１０が載置部６に置かれた際に赤外線の通信が始まることで検出する。
（４）携帯端末１０が載置部６に置かれた際に無線通信（Ｂｌｕｗｔｏｏｔｈ／Ｗｉｆｉ）により携帯端末１０へトリガーとなる通信が行われることで検出する。
（５）スキャナ装置１側のＩＣカードリーダから携帯端末１０のＩＣカードにトリガーとなる通信が行われることで検出する。
【００１８】
アプリケーション制御部９２は、携帯端末１０に保持されている各種アプリケーションを制御し、特に本実施形態では、載置検出部９１により携帯端末１０の載置部６への載置が検出されたとき、スキャナ装置１のための専用アプリケーション９３を起動する。
【００１９】
専用アプリケーション９３は、スキャナ装置１の各種操作（画像読取処理、画像データ通信処理）、スキャナ装置１との通信機能、スキャナ装置１から取得した画像データの蓄積・閲覧・編集機能を備える携帯端末専用アプリケーションである。この専用アプリケーション９３を利用して、例えばスキャナ装置１からの接続要求に応じて、スキャナ装置１との通信を確立する処理を実行することができる。なお、この専用アプリケーション９３は、スキャナ装置１またはネットワークサーバから携帯端末１０にダウンロードしてインストールすることが可能である。
【００２０】
ここで、携帯端末１０の制御部９は、物理的には、ＣＰＵ（Central  Processing  Unit）、ＲＡＭ（Random  Access  Memory）、ＲＯＭ（Read  Only  Memory）及びインターフェースを含む周知のマイクロコンピュータを主体とする電子回路である。上記の制御部９の機能（載置検出部９１、アプリケーション制御部９２、専用アプリケーション９３）は、ＲＯＭに保持されるアプリケーションプログラムをＲＡＭにロードしてＣＰＵで実行することによって、ＣＰＵの制御のもとで携帯端末１０内の各種装置を動作させるとともに、ＲＡＭやＲＯＭにおけるデータの読み出し及び書き込みを行うことで実現される。
【００２１】
スキャナ装置１の構成について説明する。スキャナ装置１は、画像読取部２、アーム部３、パネル部４及び接続コネクタ５を備えて構成されている。
【００２２】
画像読取部２は、読み取り対象の紙媒体(原稿)を撮像して画像データを生成するスキャナ機能を有する。画像読取部２のスキャナ機能は原稿搬送式であり、本実施形態ではこのスキャナ機能の主走査方向が設置面と略水平に設定されている。図１に示すように、画像読取部２のカバーの前面部２ａには、設置面と略水平方向に延在する給紙口２ｂが設けられ、この給紙口２ｂから原稿が内部に導入されて読み取り処理が行われ、画像読取部２の背面側に給紙口と同様に形成される排紙口（図示せず）から、読み取った原稿が排出される。なお、画像読取部２の排紙口に搬送路切替カバー（図示せず）を設け、その開閉状態に応じて原稿の排出方向を上方向または水平方向に切り替えるよう構成してもよい。
【００２３】
また、図１に示すように、画像読取部２のカバーの上部には上面部２ｄが設けられている。前面部２ａの上端は幅方向全体にわたってこの上面部２ｄより上方に突出され、係止部２ｅが形成されている。
【００２４】
アーム部３は、画像読取部２の主走査方向のうち一方の端部から主走査方向と直交する方向に延在する部材である。図１に示す例では、アーム部３は、正面側からみて画像読取部２の右側の端部から、設置面と水平に設定されている画像読取部２の主走査方向と直交する方向かつ上方に延在している。ここで、「上方」とは、具体的には、鉛直上方から、スキャナ装置１の背面側の水平方向との間の任意の方向を指すものとする。図１に示す例では、アーム部３は、スキャナ装置１の背面側へ傾斜する斜め上方を長手方向として延在している。
【００２５】
パネル部４は、画像読取部２及びアーム部３の相互の対向面にて画像読取部２及びアーム部３と接続される板状部材である。図１に示す例では、画像読取部２の上面部２ｄと、アーム部３の左側面３ａとが互いに直交して対向する対向面となっており、パネル部４の下端面４ａが画像読取部２の上面部２ｄに嵌合され、パネル部４の右端面４ｂがアーム部３の左側面３ａに嵌合されている。パネル部４は、画像読取部２とアーム部３で支持されている。
【００２６】
また、パネル部４は、アーム部３と接続する右端面４ｂの上端から、画像読取部２と接続する下端面４ａの左端へ向けて傾斜する斜端面４ｃを備える。この斜端面４ｃは、携帯端末１０を載置部６に載置された状態において携帯端末１０を把持しやすくし、スキャナ装置１との脱着を容易とするよう構成されている。斜端面４ｃの形状は、右端面４ｂの上端と下端面４ａの左端とを結ぶ直線状でもよいし、右端面４ｂと下端面４ａとのなす角４ｄの方向へ窪んだ凹形状でもよいし、図１に示すように、その反対側へ膨らんだ凸形状でもよい。
【００２７】
図１に示すように、アーム部３の画像読取部２と対向する左側面３ａには、携帯端末１０のコネクタ１０ｃと接続可能な接続コネクタ５が設けられている。この接続コネクタ５は、携帯端末１０のコネクタ１０ｃと接続したときに、スキャナ装置１と携帯端末１０とが通信可能となるように両者を電気的に接続させ、携帯端末１０との通信を確立することができる。また、この接続コネクタ５は、携帯端末１０の充電手段としても機能し、携帯端末１０との接続時には携帯端末１０の電池に電力を供給させることができる。なお、スキャナ装置１の電源は、ＡＣ電源、バッテリ電池、ソーラー電池、ＰＣからのＵＳＢ接続などを適用することができる。
【００２８】
このスキャナ装置１では、図１に示すように、画像読取部２、アーム部３及びパネル部４により、携帯端末１０を載置可能な載置部６が形成されている。スキャナ装置１は、携帯端末１０をこの載置部６に載置させることで、接続コネクタ５を介して携帯端末１０との通信を確立できると共に、携帯端末１０をスキャナ装置１と一体的に構成することができる。
【００２９】
より詳細には、載置部６は、携帯端末１０を画像読取部２、アーム部３及びパネル部４と同時に当接させることによって、携帯端末１０を所定位置に保持することができるよう構成される。図１に示す例では、携帯端末１０は、画像読取部２の上面部２ｄ、アーム部３の左側面３ａ、及びパネル部４と同時に当接させると、画像読取部２の係止部２ｅにより前方への移動が規制され、また、パネル部４により背面が支持されるため、常に図１に破線で示される載置部６上の所定位置に同一の姿勢で配置されることが可能となる。なお、この載置部６は、載置された携帯端末１０の角度や向きを任意に調整できるよう構成してもよい。
【００３０】
さらに、接続コネクタ５は、携帯端末１０が図１に破線で示される所定位置に配置されたときに、携帯端末１０のコネクタ１０ｃと対向して接続可能となるよう、アーム部３の左側面３ａ上に配置されている。したがって、携帯端末１０が載置部６上の所定位置に載置されると、携帯端末１０はコネクタ１０ｃを介して接続コネクタ５と有線接続され、スキャナ装置１と通信可能及び充電可能となると共に、スキャナ装置１に連結固定される。
【００３１】
このように携帯端末１０がスキャナ装置１の載置部６に保持されるとき、携帯端末１０とスキャナ装置１とは、コネクタ１０ｃ及び接続コネクタ５を介して電気的に接続されているので、スキャナ装置１は、携帯端末１０の表示画面１０ａを、スキャナ装置１の操作画面やスキャン画像表示画面として利用することができる。本実施形態では、上述のように、携帯端末１０の専用アプリケーション９３が、携帯端末１０が載置部６へ載置されたときに起動されるよう設定されているので、この専用アプリケーション９３を介して携帯端末１０の表示画面１０ａを自動的にスキャナ装置１の操作画面として利用することができる。
【００３２】
また、画像読取部２は、携帯端末１０が載置部６に載置されていない場合にはスリープモードとしておき、携帯端末１０が載置部６に載置され、接続コネクタ５により携帯端末１０と電気的に接続されたとき、または後述の載置検出部７１により携帯端末１０の載置部６への載置が検出されたときに、に、スリープモードから起動させるよう構成することができる。
【００３３】
スキャナ装置１は、さらに、図２に示すように、制御部７及び記憶部８を備える。制御部７は、載置検出部（装置側載置検出部）７１、識別情報取得部７２、通信制御部（接続要求部、送信部）７３、充電制御部７４を含んで構成され、記憶部８は、識別情報記憶部８１、画像データ記憶部８２、送信先情報記憶部８３を含んで構成される。
【００３４】
載置検出部７１は、携帯端末１０がスキャナ装置１の載置部６に載置されたことをスキャナ装置１側から検出する。より詳細には、載置検出部７１は、例えば以下に例示する手法によって、携帯端末１０のスキャナ装置１の載置部６への載置を検出することができる。
（１）載置部６に荷重センサを設置し、荷重センサの出力の変化をチェックする。
（２）載置部６に光学センサ(赤外線通信も含む)を設置し、光学センサのセンサ出力の変化をチェックする。
（３）スキャナ装置１のＩＣカードリーダにより携帯端末１０のＩＣカードの検出を行う。
（４）載置部６近辺のＣＣＤカメラにて携帯端末１０の形状・色を読み取る。
（５）スキャナ装置１のバーコードリーダにて携帯端末１０に貼付されているバーコードを読み取る。
【００３５】
識別情報取得部７２は、載置検出部７１により携帯端末１０の載置部６への載置が検出されたときに、この携帯端末１０の識別情報を取得する。より詳細には、識別情報取得部７２は、例えば、以下に例示する手法で携帯端末１０の識別情報を取得することができる。
（１）携帯端末１０に搭載されているＩＣチップ、またはユーザのＩＣカードをＩＣカードリーダで読み取り、ＩＣチップまたはＩＣカードに記憶されている識別情報を取得する。
（２）携帯端末１０の表面に添付された、または携帯端末１０の画面に表示されたバーコードをバーコードリーダで読み取り、識別情報を取得する。
（３）携帯端末１０上の専用アプリケーション９３が発する音声、またはユーザの音声をマイクで拾い、これらの音声データと関連付けられている識別情報を識別情報記憶部８１から取得する。
（４）携帯端末１０と赤外線通信を行い、識別情報を取得する。
（５）指紋センサにて携帯端末１０のユーザの指紋を読み取り、この指紋情報と関連付けられている識別情報を識別情報記憶部８１から取得する。
なお、上記の手法で取得された識別情報は、識別情報記憶部８１に記憶され、画像データの送信設定情報と関連付けられる。
（６）ＣＣＤカメラにより携帯端末１０の形状（色・形）読み取り、この情報と関連付けられている識別情報を識別情報記憶部８１から取得する。
【００３６】
通信制御部７３は、携帯端末１０との通信を制御する。具体的には、通信制御部７３は、携帯端末１０への接続要求の送信処理、携帯端末１０との通信の確立処理、画像データの送信処理などを行う。
【００３７】
充電制御部７４は、携帯端末１０の二次電池の充電を制御する。より詳細には、充電制御部７４は、載置検出部７１により携帯端末１０の載置部６への載置が検出されたときに、スキャナ装置１の接続コネクタ５及び携帯端末１０のコネクタ１０ｃを介して電気的に接続されている携帯端末１０に対して電力を送信し充電を行う。
【００３８】
識別情報記憶部８１には、携帯端末１０またはユーザの識別情報と、送信先の情報が関連付けられて保持されている。
【００３９】
画像データ記憶部８２には、画像読取部２による画像読取処理により生成された画像データが記憶されている。
【００４０】
送信先情報記憶部８３には、電子メール、インターネットＦＡＸ、ファイル共有フォルダ、クラウドサービスなどのインターネットＮ上のサービスに対して認証処理を実行する際の認証情報と送信先の情報とが関連付けられて記憶されている。
【００４１】
なお、スキャナ装置１は、画像読取部２で生成した画像データを、携帯端末１０のほかにも、例えば図２に示すように、スキャナ装置１に接続されているＵＳＢストレージやＳＤメモリカードなどの記憶媒体１１に記憶させたり、または、電子メール、インターネットＦＡＸ、ファイル共有フォルダ、クラウドサービスなどのインターネットＮ上のサービスにデータを送信することもできる。
【００４２】
ここで、スキャナ装置１の制御部７及び記憶部８は、物理的には、ＣＰＵ（Central  Processing  Unit）、ＲＡＭ（Random  Access  Memory）、ＲＯＭ（Read  Only  Memory）及びインターフェースを含む周知のマイクロコンピュータを主体とする電子回路である。上記の制御部７の機能（載置検出部７１、識別情報取得部７２、通信制御部７３、充電制御部７４）は、ＲＯＭに保持されるアプリケーションプログラムをＲＡＭにロードしてＣＰＵで実行することによって、ＣＰＵの制御のもとでスキャナ装置１内の各種装置を動作させるとともに、ＲＡＭやＲＯＭにおけるデータの読み出し及び書き込みを行うことで実現される。また、上記の記憶部８（識別情報記憶部８１、画像データ記憶部８２、送信先情報記憶部８３）は、ＲＡＭやＲＯＭにより実現される。
【００４３】
なお、図１では、スキャナ装置１の接続コネクタ５と携帯端末１０のコネクタ１０ｃによって、スキャナ装置１と携帯端末１０とが有線で接続される構成を例示しているが、スキャナ装置１と携帯端末１０とは電気的に接続可能であればよく、例えば接続コネクタ５及びコネクタ１０ｃの代わりに無線通信により携帯端末１０とスキャナ装置１とを接続し、通信機能又は充電機能を実行するよう構成してもよい。本実施形態で用いる「電気的に接続」なる表現とは、スキャナ装置１と携帯端末１０との通信を確立することが可能である状態を意味するものであり、また、両者が有線で物理的に接続された状態だけでなく、無線通信などにより実質的に接続された状態も含むものである。
【００４４】
次に、図３〜５を参照して、本実施形態に係るスキャナシステム１００の動作について説明する。図３は、携帯端末１０がスキャナ装置１の載置部６に載置されたときの通信確立処理及び画像データ送信処理を示すシーケンス図であり、図４は、携帯端末１０がスキャナ装置１の載置部６に載置しない状態で実施されるスキャナ装置１の画像読取処理を示すフローチャートであり、図５は、スキャナ装置１が携帯端末１０以外の送信先へ画像データを送信する処理を示すフローチャートである。
【００４５】
まず、図３を参照して、携帯端末１０とスキャナ装置１との間の通信確立処理及び画像データ送信処理ついて説明する。図３に示す処理は、スキャナ装置１及び携帯端末１０の電源が入ったときに開始される。なお、図３に示す処理は、スキャナ装置１と携帯端末１０とが無線通信によって電気的に接続される場合のものである。
【００４６】
スキャナ装置１では、まずハードウェアが初期化され（Ｓ１０１）、載置検出部７１により、携帯端末１０が載置部６に載置されたか否かが確認される（Ｓ１０２）。携帯端末１０の載置が検出されるまでは、ステップＳ１０２で待機し、携帯端末１０の載置が検出されたときにステップＳ１０３に移行する。なお、スキャナ装置１は、携帯端末１０が載置部６に載置されたときに、携帯端末１０と電気的に接続され、通信可能な状態となる。
【００４７】
ステップＳ１０２において携帯端末１０の載置が検出されると、次に、識別情報取得部７２により、載置部６に載置されている携帯端末１０の固有ＩＤ（識別情報）が取得される（Ｓ１０３）。識別情報取得部７２は、携帯端末１０との電気的に接続された経路（通信確立などに利用される経路）を利用せずに、別ルートから携帯端末１０の固有ＩＤを取得する。例えば、携帯端末１０のＩＣチップや赤外線通信により固有ＩＤを直接取得したり、携帯端末１０のバーコードやユーザの音声などの情報に基づき識別情報記憶部８１から固有ＩＤを取得することができる。
【００４８】
続いて、通信制御部７３により、この固有ＩＤをもつ携帯端末１０に端末接続要求が送信され（Ｓ１０４）、ステップＳ１０５に移行する。通信制御部７３は、固有ＩＤに基づき識別情報記憶部８１から送信先情報を取得して、端末接続要求に固有ＩＤ情報も添付した上で送信先に送信する。
【００４９】
一方、携帯端末１０では、まずハードウェアが初期化され（Ｓ２０１）、載置検出部９１により、携帯端末１０がスキャナ装置１の載置部６に載置されたか否かが確認される（Ｓ２０２）。スキャナ装置１の載置部６への載置が検出されるまでは、ステップＳ２０２で待機し、載置部６への載置が検出されたときにステップＳ２０３に移行する。なお、携帯端末１０は、スキャナ装置１の載置部６に載置されたときに、スキャナ装置１と電気的に接続され、通信可能な状態となる。または携帯端末１０は、電源が入ったときから通信可能な状態としてもよい。
【００５０】
ステップＳ２０２において携帯端末１０の載置が検出されると、続いてアプリケーション制御部９２により、専用アプリケーション９３が起動される（Ｓ２０３）。
【００５１】
この専用アプリケーション９３により、スキャナ装置１から端末接続要求を受信したか否かが確認される（Ｓ２０４）。端末接続要求を受信したことが確認されるまでは、ステップＳ２０４で待機し、受信したときにステップＳ２０５に移行する。
【００５２】
端末接続要求を受信すると、引き続き専用アプリケーション９３により、この端末接続要求に添付される固有ＩＤが、自機の固有ＩＤと一致するか否かが確認される（Ｓ２０５）。固有ＩＤが一致する場合には、この端末接続要求は自機に向けて送信されたものと判断して、通信を確立するためのリンク要求が送信される（Ｓ２０６）。なお、固有ＩＤが不一致の場合には、ステップＳ２０４に戻り、新たな端末接続要求を受信するまで待機する。
【００５３】
次に、スキャナ装置１において、通信制御部７３により、携帯端末１０の専用アプリケーション９３によるリンク要求を受信したか否かが確認される（Ｓ１０５）。リンク要求を受信した場合には、通信制御部７３により、リンク要求応答が携帯端末１０へ送信される（Ｓ１０６）。そして、このリンク要求応答が携帯端末１０に受信されるのに応じて、スキャナ装置１と携帯端末１０との間の通信が確立される。
【００５４】
スキャナ装置１と携帯端末１０との間の通信が確立されると、通信制御部７３により、この携帯端末１０に未送信の画像データが画像データ記憶部８２に保持されているか否かが確認される（Ｓ１０７）。未送信データがある場合には、まずデータ送信要求が送信され、次いで未送信の画像データが送信される（Ｓ１０８）。なお、ステップＳ１０８の未送信データ送信処理は、未送信の画像データをすべて自動的に携帯端末１０に送信することができるし、または、携帯端末１０の表示画面１０ａ上のタッチパネルやスキャナ装置１のボタン３ｂなどを用いたユーザの確認／選択操作により手動で行うこともできる。
【００５５】
ステップＳ１０７において未送信データがない場合には、画像読取部２により新たに画用読取処理が実行され（Ｓ１０９）、新たに生成された画像データが送信される（Ｓ１０８）。なお、ステップＳ１０９の画像読取処理は、携帯端末１０の表示画面１０ａ上のタッチパネルやスキャナ装置１のボタン３ｂなどを用いたユーザの操作入力に応じて実行される。
【００５６】
次に、携帯端末１０において、専用アプリケーション９３により、スキャナ装置１よりデータ送信要求が受信されたか否かが確認される（Ｓ２０７）。データ送信要求を受信している場合には、専用アプリケーション９３によりスキャナ装置１から送信された画像データが受信され（Ｓ２０８）、この画像データが携帯端末１０内の記憶領域に保持される。データ送信要求を受信していない場合には、これを受信するまでステップＳ２０７で待機する。
【００５７】
画像データの受信後には、引き続き専用アプリケーション９３により、スキャナ装置１の画像データ記憶部８２に保持されている、この受信した画像データの元データを削除するか否かが確認される（Ｓ２０９）。この判断は、携帯端末１０のユーザの操作により逐次入力されるか、または予め設定されている。データを削除するとの設定の場合には、専用アプリケーション９３によりデータ削除要求がスキャナ装置１に送信される（Ｓ２１０）。データを削除しないとの設定の場合には、データ削除要求を送信せずにステップＳ２１１へ移行する。
【００５８】
次に、スキャナ装置１において、通信制御部７３により、データ削除要求を携帯端末１０から受信したか否かが確認される（Ｓ１１０）。データ削除要求を受信した場合には、画像データ記憶部８２に保持されている元データが削除される（Ｓ１１１）。データ削除要求を受信していない場合には、画像データはそのまま画像データ記憶部８２に保持されたままステップＳ１１２へ移行する。
【００５９】
続いて、通信制御部７３により、この処理を継続するか否かが確認され（Ｓ１１２）、継続する場合には、ステップＳ１０９に戻り、画像読取部２により新たな画像読取処理が実施され、新たな画像データが携帯端末１０へ送信される。継続しない場合には、通信制御部７３により、携帯端末１０へ処理終了通知が送信される（Ｓ１１３）。処理終了通知の送信後には、スキャナ装置１は、例えばスリープモードに移行し、ユーザの操作入力（ボタン３ｂや携帯端末１０の表示画面１０ａ）や携帯端末１０の専用アプリケーション９３からの要求があったときに、ステップＳ１０２から処理を再開するよう構成できる。また、携帯端末１０が載置部６から取り外されたとき（例えば載置検出部７１により検出）に、携帯端末１０との通信を終了するよう構成することができる。
【００６０】
一方、携帯端末１０では、専用アプリケーション９３により、処理終了通知がスキャナ装置１から受信されたか否かが確認される（Ｓ２１１）。処理終了通知が受信された場合（Ｓ２１１のＹＥＳ）には、携帯端末１０は、例えば、スキャナ装置１との通信を維持しておき、専用アプリケーション９３による通信終了操作があったときや、携帯端末１０がスキャナ装置１の載置部６から取り外されたとき（例えば加速度センサなどを利用して検出）に、スキャナ装置１との通信を終了するよう構成できる。なお、処理終了通知を受信したときにスキャナ装置１との通信を終了するよう構成してもよい。
【００６１】
ステップＳ２１１において処理終了通知が受信されていない場合（Ｓ２１１のＮＯ）には、ステップＳ２０７に戻り、新たなデータ送信要求をスキャナ装置１から受信するまで待機する。
【００６２】
なお、図３に示す処理を、例えば図１に示すようにスキャナ装置１と携帯端末１０とがスキャナ装置１の接続コネクタ５及び携帯端末１０のコネクタ１０ｃを介して有線接続される構成に適用する場合には、スキャナ装置１と有線で電気的に接続されている携帯端末１０を明確に特定できるので、図３に示す処理のうち、ステップＳ１０３やＳ２０５などの携帯端末１０の固有ＩＤを利用した携帯端末１０を特定する処理は省略することができる。
【００６３】
本実施形態のスキャナ装置１は、携帯端末１０を載置部６に載置しない状態でも画像データを蓄積しておき、携帯端末１０との通信確立時にこのデータを送信することができる。図４を参照して、携帯端末１０を載置部６に載置していない場合のスキャナ装置１の画像読取処理について説明する。図４に示す処理は、スキャナ装置１の電源が入ったときに開始される。
【００６４】
まずハードウェアが初期化され（Ｓ３０１）、スキャナ装置１に対して、例えばボタン３ｂなどを利用したユーザの操作入力があるまで待機状態となる（Ｓ３０２）。
【００６５】
ユーザの操作入力があった場合には、その操作入力の内容が画像読取処理の読取開始操作か否かが確認され（Ｓ３０３）、読取開始操作である場合にはＳ３０４に移行する。読取開始操作でなかった場合には、ステップＳ３０２に戻り、再び待機状態となる。
【００６６】
ステップＳ３０３において読取開始操作があった場合、画像読取部２により、画像読取処理を実行した場合に、生成した画像データを記憶するのに十分な保存領域が画像データ記憶部８２に確保できるか否かが確認される（Ｓ３０４）。画像データ記憶部８２に保存領域がある場合には、画像読取部２により画像読取処理が実行され（Ｓ３０５）、生成された画像データが画像データ記憶部８２に蓄積される。一方、画像データ記憶部８２に保存領域がない場合には、画像読取処理を実行せずにステップＳ３０２に戻り、再び待機状態となる。
【００６７】
画像読取処理の実行後には、画像読取部２により、処理を継続するか否かが確認される（Ｓ３０６）。処理を継続する場合にはステップＳ３０２に戻り、再び操作入力があるまで待機状態となる。処理を継続しない場合には、このまま処理を終了する。
【００６８】
なお、このように画像読取処理において生成した画像データを画像データ記憶部８２に蓄積することは、携帯端末１０がスキャナ装置１の載置部６に載置されている状況でも実行してもよい。
【００６９】
また、本実施形態のスキャナ装置１は、載置部６に載置される携帯端末１０に画像データ送信する他にも、例えば図２に示すように、スキャナ装置１に接続されているＵＳＢストレージやＳＤメモリカードなどの記憶媒体１１に記憶させたり、または、電子メール、インターネットＦＡＸ、ファイル共有フォルダ、クラウドサービスなどのインターネットＮ上のサービスにデータを送信するなど、様々な形態でデータを外部の送信先に送信することができる。図５を参照して、外部の送信先へのデータ送信処理について説明する。図５に示す処理も、スキャナ装置１の電源が入ったときに開始される。
【００７０】
まずハードウェアが初期化され（Ｓ４０１）、スキャナ装置１に対して、例えばボタン３ｂなどを利用したユーザの操作入力があるまで待機状態となる（Ｓ４０２）。
【００７１】
ユーザの操作入力があった場合には、画像読取部２により、その操作入力の内容が、外部の送信先へ画像データを送信するための認証操作か否かが確認される（Ｓ４０３）。操作入力が認証操作である場合には認証処理が実行される（Ｓ４０４）。認証処理は、具体的には、ユーザ操作により指定された送信先について、ＩＣカードやバーコードの読取、音声認識、指紋認証、赤外線通信などを利用してユーザから提供される認証情報を用いて、識別情報記憶部８１と結び付けられた送信先情報記憶部８３から引き出される送信先情報を引き出し、この送信先から認証を得る処理である。一方、操作入力が認証操作でない場合には、ステップＳ４０２に戻り、再び待機状態となる。
【００７２】
続いて、認証処理の結果がＯＫだったかどうか確認される（Ｓ４０５）。認証結果がＯＫならばステップＳ４０６に移行する。一方、認証結果がＮＧならば、この送信先へのデータ送信処理は実行されずステップＳ４０２に戻り、再び待機状態となる。
【００７３】
ステップＳ４０５において認証結果がＯＫだった場合には、まず、画像読取部２により画像読取部２が画像読取処理を実行できる状態か否かが確認される（Ｓ４０６）。画像読取処理が実行可能であると判断された場合には、画像読取部２により画像読取処理が実行され（Ｓ４０７）、実行不可能と判定された場合には、画像読取処理を実行せずにステップＳ４０２に戻り、再び待機状態となる。
【００７４】
そして、画像読取処理の実行後には、通信制御部７３により、生成された画像データが外部の送信先に送信される（Ｓ４０８）。
【００７５】
画像データ送信後には、画像読取部２により、処理を継続するか否かが確認される（Ｓ４０９）。処理を継続する場合にはステップＳ３０２に戻り、再び操作入力があるまで待機状態となる。処理を継続しない場合には、このまま処理を終了する。
【００７６】
次に、本実施形態に係るスキャナシステム１００の効果について説明する。
【００７７】
本実施形態のスキャナシステム１００は、携帯端末１０とスキャナ装置１とを備え、携帯端末１０がスキャナ装置１の載置部６に載置されたとき、携帯端末１０とスキャナ装置１とは電気的に接続されるよう構成される。携帯端末１０は、当該携帯端末１０がスキャナ装置１の載置部６に載置されたことを検出する載置検出部９１と、載置検出部９１により当該携帯端末１０の載置部６への載置が検出されたとき、スキャナ装置１からの接続要求に応じてスキャナ装置１との通信を確立するための専用アプリケーション９３を起動するアプリケーション制御部９２と、を有する。前記スキャナ装置１は、携帯端末１０が当該スキャナ装置１の載置部６に載置されたことを検出する載置検出部７１と、載置検出部７１により携帯端末１０の載置部６への載置が検出されたとき、携帯端末１０の識別情報（固有ＩＤ）を取得する識別情報取得部７２と、識別情報取得部７２により取得された識別情報を持つ携帯端末１０に対して接続要求を送信する通信制御部７３と、を有する。そして、スキャナ装置１からの接続要求に応じて、携帯端末１０の専用アプリケーション９３が携帯端末１０とスキャナ装置１との通信を確立する。
【００７８】
このような構成により、携帯端末１０がスキャナ装置１の載置部６に載置されるのに応じて、携帯端末１０では、専用アプリケーション９３が起動され、スキャナ装置１からの接続要求に応じて通信を確立できるよう準備が整えられる。一方、スキャナ装置１では、載置部６に載置されている携帯端末１０の識別情報が取得され、この識別情報を持つ携帯端末１０へ接続要求が送信される。そして、スキャナ装置１からの接続要求を受信した携帯端末１０の専用アプリケーション９３により、この携帯端末１０とスキャナ装置１との間の通信が確立される。したがって、携帯端末１０をスキャナ装置１の載置部６に載置するだけで、載置部６に載置されている携帯端末１０を特定し、この携帯端末１０とスキャナ装置１との間で通信を確立させる処理を自動的に実行させることが可能となる。このように、本実施形態のスキャナシステム１００では、ユーザの操作なしで携帯端末１０とスキャナ装置１との通信を確立することができる。
【００７９】
また、本実施形態のスキャナシステム１００において、スキャナ装置１が、画像読取処理を行い生成した画像データを記憶する画像データ記憶部８２を備え、スキャナ装置１の通信制御部７３は、接続要求により通信が確立された携帯端末１０へ画像データ記憶部８２に記憶されている画像データを送信する。
【００８０】
この構成により、携帯端末１０がスキャナ装置１と接続されていない状態でもスキャナ装置１で画像読取処理を実行し、生成した画像データを蓄積することができるので、実際に携帯端末１０とスキャナ装置１とが通信可能となったときに迅速に画像データを携帯端末１０に提供することができる。また、同一の画像データを複数の携帯端末へ提供することが可能となる。このように、スキャナ装置１により生成した画像データを携帯端末１０に送信する処理を効率的に実行することができる。
【００８１】
また、本実施形態のスキャナシステム１００において、画像データ記憶部８２は、通信が確立された携帯端末１０から削除指令を受けた場合に、画像データ記憶部８２に記憶されている画像データを削除する。この構成により、画像データ記憶部８２に記憶される画像データを適宜削除することができるので、記憶領域を確保することができる。また、削除指令をうけるまでは画像データが画像データ記憶部８２に保持できるので、同一の画像データを順次複数の携帯端末に提供することが可能となる。
【００８２】
以上、本発明について好適な実施形態を示して説明したが、本発明はこれらの実施形態により限定されるものではない。上記実施形態では、スキャナ装置１の画像読取部２により生成された画像データをスキャナ装置１内部の画像データ記憶部８２に保持していたが、例えばクラウド上のデータベースなど外部の記憶手段に保持するよう構成してもよい。
【符号の説明】
【００８３】
１００  スキャナシステム
１  スキャナ装置
６  載置部
７１  載置検出部（装置側載置検出部）
７２  識別情報取得部
７３  通信制御部（接続要求部、送信部）
８２  画像データ記憶部
１０  携帯端末
９１  載置検出部（端末側載置検出部）
９２  アプリケーション制御部（起動部）
９３  専用アプリケーション
【図１】
2012172661.tif 000003
【図２】
2012172661.tif 000004
【図３】
2012172661.tif 000005
【図４】
2012172661.tif 000006
【図５】
2012172661.tif 000007
【国際調査報告】
2012172661.tif 000008
2012172661.tif 000009
2012172661.tif 000010
2012172661.tif 000011